(57)【特許請求の範囲】
【請求項１】
多心光ファイバテープ心線の被覆を除去して複数本の光ファイバを露出した前記多心光ファイバテープ心線を位置決めして保持するための光コネクタ用フェルールであって、
各前記光ファイバをそれぞれ通す複数の光ファイバガイド溝と、各前記光ファイバガイド溝に通じており各前記光ファイバガイド溝に通された前記光ファイバの端部を位置決めする複数の光ファイバ挿通孔とを有する本体部と、前記本体部から突出して形成されている隔壁部と、を有する第１ハウジング部と、
前記第１ハウジング部に対して接合されて前記多心光ファイバテープ心線を保持する第２ハウジング部と、
を備え、
前記第１ハウジング部は、位置決め部材を挿入することで前記第１ハウジング部と前記第２ハウジング部を位置合わせするガイド穴を有し、
前記光ファイバは前記光ファイバガイド溝において接着剤により固定され、
前記第１ハウジング部の前記隔壁部は、複数の前記光ファイバガイド溝を囲む側壁部分を有して、前記ガイド穴と複数の前記光ファイバガイド溝との間に形成されており、
前記第１ハウジング部の複数の前記光ファイバガイド溝は、複数のガイド溝列に沿って並べて配列され、複数の前記ガイド溝列は、前記本体部から前記隔壁部が突出されている方向に平行な方向に沿って突出して形成された段差部分において互いに間隔をおいて形成されており、
前記第２ハウジング部は、前記第１ハウジング部のとの接合時に、前記第１ハウジング部の前記隔壁部が挿入される、前記隔壁部の外形形状に合わせた第１の開口部を有していることを特徴とする光コネクタ用フェルール。
【請求項２】
前記隔壁部は対向して配置される一方の前記側壁部分と他方の前記側壁部分を有しており、前記隔壁部の突出方向に沿った各前記段差部分の長さは、一方の前記側壁部分から他方の前記側壁部分に至るに従って順次大きくなっていることを特徴とする請求項１に記載の光コネクタ用フェルール。
【請求項３】
前記隔壁部は対向して配置される一方の前記側壁部分と他方の前記側壁部分を有しており、前記隔壁部の突出方向に沿った各前記段差部分の長さは、一方の前記側壁部分と他方の前記側壁部分の間の中央位置において最も大きく、前記中央位置から前記一方の前記側壁部分に至るに従ってかつ前記中央位置から他方の前記側壁部分に至るに従ってそれぞれ順次小さくなっていることを特徴とする請求項１に記載の光コネクタ用フェルール。
【請求項４】
前記第２ハウジング部は、前記接着剤を前記光ファイバガイド溝に入れるための第２の開口部を有していることを特徴とする請求項１乃至３のいずれか１項に記載の光コネクタ用フェルール。 
【発明の詳細な説明】
【技術分野】
【０００１】
本発明は、光コネクタ用フェルールに関し、特に光通信における光ファイバ相互間の接続部や光半導体等の光モジュールの接続部等に使用される光コネクタ用フェルールに関する。
【背景技術】
【０００２】
光ファイバ網を含む情報網の発達により、光伝送の大容量化が急速に進んでいる。この光伝送の大容量化が進むのに伴って、光通信における光ファイバ相互間の接続部や光半導体等の光モジュールの接続部等に使用される光コネクタ用フェルールは、多心の光ファイバを二次元のマトリックス状に精度良くしかも高密度に配列して保持することが要求されている。
この種の光コネクタ用フェルールは、フェルール先端部とフェルール後端部とに分けて個別に製造しておき、フェルール先端部をフェルール後端部にはめ込むことで組み立てられるものがある。
【０００３】
フェルール先端部は、多心の光ファイバを精密に位置決めするために必要な部分であり、フェルール後端部は、多心の光ファイバを精密に位置決めするには用いられない部分である。フェルール先端部には、多心の光ファイバの先端部分をそれぞれ挿入して保持するための複数の光ファイバ挿通孔が、ミクロン単位で精密に加工されている。
【０００４】
フェルール先端部とフェルール後端部には、それぞれ位置決め用のピンを挿入するための複数のガイド穴が形成されている。フェルール先端部のガイド穴は、フェルール先端部複数の光ファイバ挿通孔の付近に形成されている（例えば、特許文献１参照）。
【特許文献１】特開２００７−２１２９７３号公報
【発明の開示】
【発明が解決しようとする課題】
【０００５】
ところが、特許文献１に記載されている技術では、フェルール先端部の光ファイバ挿通孔に光ファイバを挿入した後に、フェルール先端部に接着剤を供給して光ファイバを光ファイバ挿通孔に固定する必要がある。
【０００６】
しかし、このように接着剤を用いて光ファイバを固定しようとすると、この接着剤が流れて位置決めピンを挿入するためのガイド穴に入ってしまうことがある。この接着剤がフェルール先端部のガイド穴に入ると、フェルール先端部のガイド穴にガイドピンを挿入することができず、フェルール先端部とフェルール後端部を接合して位置合わせすることができなくなるおそれがある。
【０００７】
そこで、本発明は上記課題を解消するために、光コネクタ用フェルールを構成する複数のハウジング部を接合する際に、接着剤がガイド穴に入るのを防止して、複数のハウジング部を確実に接合して位置合わせすることができる光コネクタ用フェルールを提供することを目的とする。
【課題を解決するための手段】
【０００８】
上記課題を解消するために、本発明の光コネクタ用フェルールは、多心光ファイバテープ心線の被覆を除去して複数本の光ファイバを露出した前記多心光ファイバテープ心線を位置決めして保持するための光コネクタ用フェルールであって、
各前記光ファイバをそれぞれ通す複数の光ファイバガイド溝と、各前記光ファイバガイド溝に通じており各前記光ファイバガイド溝に通された前記光ファイバの端部を位置決めする複数の光ファイバ挿通孔とを有する本体部と、前記本体部から突出して形成されている隔壁部と、を有する第１ハウジング部と、
前記第１ハウジング部に対して接合されて前記多心光ファイバテープ心線を保持する第２ハウジング部と、
を備え、
前記第１ハウジング部は、位置決め部材を挿入することで前記第１ハウジング部と前記第２ハウジング部を位置合わせするガイド穴を有し、
前記光ファイバは前記光ファイバガイド溝において接着剤により固定され、
前記第１ハウジング部の前記隔壁部は、複数の前記光ファイバガイド溝を囲む側壁部分を有して、前記ガイド穴と複数の前記光ファイバガイド溝との間に形成されており、
前記第１ハウジング部の複数の前記光ファイバガイド溝は、複数のガイド溝列に沿って並べて配列され、複数の前記ガイド溝列は、前記本体部から前記隔壁部が突出されている方向に平行な方向に沿って突出して形成された段差部分において互いに間隔をおいて形成されており、
前記第２ハウジング部は、前記第１ハウジング部のとの接合時に、前記第１ハウジング部の前記隔壁部が挿入される、前記隔壁部の外形形状に合わせた第１の開口部を有していることを特徴とする。
【００１０】
本発明の光コネクタ用フェルールでは、前記隔壁部は対向して配置される一方の前記側壁部分と他方の前記側壁部分を有しており、前記隔壁部の突出方向に沿った各前記段差部分の長さは、一方の前記側壁部分から他方の前記側壁部分に至るに従って順次大きくなっていることを特徴とする。
【００１１】
本発明の光コネクタ用フェルールでは、前記隔壁部は対向して配置される一方の前記側壁部分と他方の前記側壁部分を有しており、前記隔壁部の突出方向に沿った各前記段差部分の長さは、一方の前記側壁部分と他方の前記側壁部分の間の中央位置において最も大きく、前記中央位置から前記一方の前記側壁部分に至るに従ってかつ前記中央位置から他方の前記側壁部分に至るに従ってそれぞれ順次小さくなっていることを特徴とする。
本発明の光コネクタ用フェルールでは、前記第２ハウジング部は、前記接着剤を前記光ファイバガイド溝に入れるための第２の開口部を有していることを特徴とする。 
【発明の効果】
【００１２】
本発明によれば、光コネクタ用フェルールを構成する複数のハウジング部を接合する際に、接着剤がガイド穴に入るのを防止して、複数のハウジング部を確実に接合して位置合わせすることができる。
【発明を実施するための最良の形態】
【００１３】
以下、図面を参照して、本発明の好ましい実施形態を詳細に説明する。  
＜第１実施形態＞
図１は、本発明の光コネクタ用フェルールの好ましい第１実施形態を示し、光コネクタ用フェルール１の第１ハウジング部と第２ハウジング部が固定される前の状態を示す斜視図である。図２は、光コネクタ用フェルール１の第１ハウジング部と第２ハウジング部が接合された状態を示す斜視図である。
【００１４】
図１と図２には、光コネクタ用フェルール１と、この光コネクタ用フェルール１内に挿入して保持される複数の光ファイバテープ心線２Ａ〜２Ｆとを示している。図１に示す実施形態では、一例として６枚の光ファイバテープ心線２Ａ〜２Ｆが光コネクタ用フェルール１に保持されている。
【００１５】
図１と図２に示す光コネクタ用フェルール１は、光通信における光ファイバ相互間の接続部や光半導体等の光モジュールの接続部等に使用される。光コネクタ用フェルール１は、光ファイバテープ心線２Ａ〜２Ｆのそれぞれの被覆材５９を除去して、光ファイバ３〜８を露出した状態の光ファイバテープ心線２Ａ〜２Ｆを位置決めして保持する。
光コネクタ用フェルール１は、ほぼ直方体形状を有しており、例えばプラスチック材料による成形により作られている。光コネクタ用フェルール１は、第１ハウジング部１１と、この第１ハウジング部１１とは別部品である第２ハウジング部１２とから構成されている。第１ハウジング部１１は端面フェルールともいい、第２ハウジング部１２は後端フェルールともいう。
【００１６】
図１と図２に示す第１ハウジング部１１と第２ハウジング部１２は、接合されるようになっている。
第１ハウジング部１１は、直方体形状の本体部２０と、この本体部２０から突出して形成されている隔壁部２２を有している。本体部２０は、長方形状の接続端面１３と、接続端面１３とは反対側の長方形状の接合面１４と、４つの側面１５〜１８を有する。接続端面１３には、２つのガイドピン穴２１，２１と、６列の複数個の光ファイバ挿通孔３０Ａ〜３０Ｆを有している。図１の例では、各列の光ファイバ挿通孔３０Ａ〜３０Ｆは、１２個の挿通孔から構成されており、１２個×６列＝７２個の光ファイバ挿通孔３０Ａ〜３０Ｆが、Ｘ方向とＹ方向の二次元のマトリックス状に精度良く間隔をおいて配列されている。
【００１７】
ガイド穴としてのガイドピン穴２１，２１は、接続端面１３から接合面１４に達するようにＸ方向とＹ方向に直交するＬ方向に沿って形成されている断面円形状の貫通穴であり、図２に示すように第１ハウジング部１１と第２ハウジング部１２を、Ｌ方向に沿って位置合わせするための図２に示すガイドピン９９を挿入するようになっている。
【００１８】
図１と図２に示すように、第２ハウジング部１２は、ほぼ直方体形状の部材である。第１ハウジング部１１は、比較的薄型の部材であるが、第２ハウジング部１２は第１ハウジング部１２に比べて大きい。第２ハウジング部１２は、本体部３１とフランジ部３２を有している。図１に示すように、本体部３１は、長方形状の接合面３３と、４つの側面３４〜３７を有している。接合面３３は、接合面１４に対して接合されて、接合面３３と接合面１４とは例えば接着剤により固定される。この接合面３３には、長方形状の開口部３８と、２つのガイドピン穴３９，３９が形成されている。また、側面３４には、別の開口部４０が形成されている。第１ハウジング部１１と第２ハウジング部１２を接合する際に、開口部３８には第１ハウジング部１１の隔壁部２２を挿入するようになっている。開口部４０は、接着剤を本体部３１内に注入するための注入口である。
【００１９】
次に、図３と図４を参照して、第１ハウジング部１１の構造をさらに詳しく説明する。
図３は、図１に示す第１ハウジング部１１をＧ方向から見た斜視図である。図４は、第１ハウジング部１１の側面図であり、隔壁部２２は鎖線で示している。
【００２０】
図３と図４に示すように、隔壁部２２は、本体部２０の接合面１４からＬ方向に沿って突出して形成されている。隔壁部２２は、４つの側壁部分４１〜４４を有している。側壁部分４１，４３は、Ｙ方向に沿って平行に形成されており、側壁部分４２，４４は、Ｘ方向に沿って平行に形成されている。
【００２１】
図３と図４に示すように、隔壁部２２の内側には、複数列の光ファイバガイド溝８０Ａ〜８０Ｆが配置されている。図３に示すように、複数の光ファイバガイド溝８０Ａは、段差部分５１において光ファイバガイド溝列Ｍ１に沿って形成されており、複数の光ファイバガイド溝８０Ｂは、段差部分５１と段差部分５２において光ファイバガイド溝列Ｍ２に沿って形成されている。
【００２２】
さらに、複数の光ファイバガイド溝８０Ｃは、段差部分５２と段差部分５３において光ファイバガイド溝列Ｍ３に沿って形成されており、複数の光ファイバガイド溝８０Ｄは、段差部分５３と段差部分５４において光ファイバガイド溝列Ｍ４に沿って形成されている。複数の光ファイバガイド溝８０Ｅは、段差部分５４と段差部分５５において光ファイバガイド溝列Ｍ５に沿って形成されており、複数の光ファイバガイド溝８０Ｆは、段差部分５５と段差部分５６において光ファイバガイド溝列Ｍ６に沿って形成されている。
【００２３】
図５は、図２に示す光コネクタ用フェルール１の断面構造例を示しており、光ファイバ３〜８が挿入される前の状態を示し、図６は、光ファイバ３〜８が挿入された後の状態を示している。
【００２４】
図５に示すように、複数の光ファイバガイド溝８０Ａは、複数の光ファイバ挿通孔３０Ａにそれぞれ接続されている。複数の光ファイバガイド溝８０Ｂは、複数の光ファイバ挿通孔３０Ｂにそれぞれ接続されている。複数の光ファイバガイド溝８０Ｃは、複数の光ファイバ挿通孔３０Ｃにそれぞれ接続されている。
【００２５】
複数の光ファイバガイド溝８０Ｄは、複数の光ファイバ挿通孔３０Ｄにそれぞれ接続されている。複数の光ファイバガイド溝８０Ｅは、複数の光ファイバ挿通孔３０Ｅにそれぞれ接続されている。複数の光ファイバガイド溝８０Ｆは、複数の光ファイバ挿通孔３０Ｆにそれぞれ接続されている。各光ファイバガイド溝の径は、光ファイバ挿通孔の内径に比べて大きい。光ファイバ挿通孔の内径は光ファイバを通して位置決めできる大きさである。
【００２６】
そして、図３に示すように、段差部分５１〜５６のＬ方向の長さは、段差部分５１〜５６の順番に長くなるような階段状に形成されている。隔壁部２２の側壁部分４１〜４４は、段差部分５１〜５６の光ファイバガイド溝８０Ａ〜８０Ｆの周囲を覆っている。これにより、図１に示す開口部４０から注入される接着剤を各光ファイバガイド溝８０Ａ〜８０Ｆに供給して光ファイバを固定する際に、隔壁部２２はこの接着剤がガイドピン穴２１，２１内に浸入するのを阻止する役割を果たす。
【００２７】
図６に示すように、各光ファイバ３は、対応する光ファイバガイド溝８０Ａを通じて光ファイバ挿通孔３０Ａに挿入される。各光ファイバ４は、対応する光ファイバガイド溝８０Ｂを通じて光ファイバ挿通孔３０Ｂに挿入される。各光ファイバ５は、対応する光ファイバガイド溝８０Ｃを通じて光ファイバ挿通孔３０Ｃに挿入される。
【００２８】
各光ファイバ６は、対応する光ファイバガイド溝８０Ｄを通じて光ファイバ挿通孔３０Ｄに挿入される。各光ファイバ７は、対応する光ファイバガイド溝８０Ｅを通じて光ファイバ挿通孔３０Ｅに挿入される。各光ファイバ８は、対応する光ファイバガイド溝８０Ｆを通じて光ファイバ挿通孔３０Ｆに挿入される。
【００２９】
これにより、図６に示すように、必要に応じて各光ファイバ３〜８の先端部３Ｒ〜８Ｒは、所定長さだけ接続端面１３から突出される。その後、接着剤が上部の側面３４にある開口部４０から注入され隔壁部２２内の光ファイバガイド溝８０Ａ〜８０Ｆに入り込む。これにより、光ファイバ３〜８は、それぞれ光ファイバガイド溝８０Ａ〜８０Ｆにおいて接着剤により固定することができる。
【００３０】
このように、接着剤により各光ファイバ３〜８を固定する際に、隔壁部２２の側壁部分４１〜４４は、段差部分５１〜５６の光ファイバガイド溝８０Ａ〜８０Ｆの周囲を覆っており、隔壁部２２の側壁部分４１〜４４は光ファイバガイド溝８０Ａ〜８０Ｆとガイドピン穴２１，２１の間に形成されている。
【００３１】
従って、隔壁部２２は、図１に示す開口部４０から注入される接着剤がガイドピン穴２１，２１内に浸入するのを阻止する。接着剤がガイドピン穴２１，２１内に浸入しなので、図２に示すようにガイドピン９９はガイドピン穴２１とガイドピン穴３９に確実に挿入できるので、第１ハウジング部１１と第２ハウジング部１２のガイドピン９９による位置合わせが確実に行える。
【００３２】
＜第２実施形態＞
次に、図７と図８を参照して、本発明の光コネクタ用フェルールの好ましい第２実施形態を説明する。
図７は、第２実施形態の光コネクタ用フェルールにおける第１ハウジング部１１１を示している。第２ハウジング部は、図１と図２に示す第２ハウジング部１２と同様な構造を採用することができる。図８は、図７に示す第１ハウジング部１１１の側面図である。
【００３３】
図７と図８に示す第１ハウジング部１１１が、図３と図４に示す第１ハウジング部１１と異なるのは、隔壁部１２２の形状と段差部分１５１〜１５５の形状である。
【００３４】
図７に示す第１ハウジング部１１１の隔壁部１２２のＬ方向に関する幅Ｗが、図３に示す第１ハウジング部１１の隔壁部２２のＬ方向に関する幅Ｖに比べて小さくして、第１ハウジング部１１１の更なる薄型化を図っている。すなわち、第１ハウジング部１１１は段差部分１５１〜１５５を有しているが、この段差部分１５１〜１５５の形状を工夫している。
【００３５】
隔壁部１２２の側壁部分１４１〜１４４は、段差部分１５１〜１５５の光ファイバガイド溝８０Ａ〜８０Ｆの周囲を覆っており、隔壁部１２２の側壁部分１４１〜１４４は光ファイバガイド溝８０Ａ〜８０Ｆとガイドピン穴２１，２１の間に配置されている。これにより、隔壁部１２２の側壁部分１４１〜１４４は開口部から注入される接着剤がガイドピン穴２１，２１内に浸入するのを阻止する役割を果たす。接着剤がガイドピン穴２１，２１内に浸入しなので、ガイドピンは第１ハウジング部１１１のガイドピン穴２１と第２ハウジング部のガイドピン穴に確実に挿入できるので、第１ハウジング部１１１と第２ハウジング部のガイドピン９９による位置合わせが確実に行える。
【００３６】
図７と図８に示すように、段差部分１５２は、段差部分１５１に比べてＬ方向に長く形成され、さらに段差部分１５３は、段差部分１５２に比べてＬ方向に長く形成されている。これに対して、段差部分１５４は、段差部分１５３に比べてＬ方向に短く形成され、さらに段差部分１５５は、段差部分１５４に比べてＬ方向に短く形成されている。すなわち、段差部分１５１〜１５５は階段状ではなく、中央の段差部分１５３が最も突出して形成され、段差部分１５２，１５４、段差部分１５１，１５５の順番に短く形成されている。
【００３７】
段差部分１５１には、複数の光ファイバガイド溝８０Ａが光ファイバガイド溝列Ｍ１に沿って形成され、段差部分１５２と段差部分１５３には、複数の光ファイバガイド溝８０Ｂ、８０Ｃ、８０Ｄが光ファイバガイド溝列Ｍ２、Ｍ３、Ｍ４に沿ってそれぞれ形成されている。段差部分１５４には、複数の光ファイバガイド溝８０Ｅが光ファイバガイド溝列Ｍ５に沿って形成され、段差部分１５５には、複数の光ファイバガイド溝８０Ｆが光ファイバガイド溝列Ｍ６に沿って形成されている。
【００３８】
これにより、第２実施形態の第１ハウジング部１１１の隔壁部１２２のＬ方向に関する幅Ｗが、図３に示す第１ハウジング部１１の隔壁部２２のＬ方向に関する幅Ｖに比べて小さくできるので、第２実施形態の第１ハウジング部１１１は、第１実施形態の第１ハウジング部１１に比べてＬ方向に関して薄型化が図れ、光コネクタ用フェルールの小型化が可能である。
【００３９】
本発明の光コネクタ用フェルールの実施形態では、第１ハウジング部１１，１１１は、接続端面１３に達している各光ファイバ挿通孔３０Ａ〜３０Ｆを有しており、第１ハウジング部１１，１１１は高精度に成型する必要がある。これらの各光ファイバ挿通孔３０Ａ〜３０Ｆは、第１ハウジング部１１，１１１をプラスチック成型する際に、複数の細いコアピンを有する成形金型を用いて高精度に形成する必要がある。これらの各光ファイバ挿通孔３０Ａ〜３０ＦのＬ方向の長さは、短くて済むので、成形金型のコアピンの長さも短くできるので、成形金型のコストダウンができる。一方、第２ハウジング部は、第１ハウジング部に比べて高精度に成形する必要はないので、安価に製作できる。
【００４０】
従って、光コネクタ用フェルールの製品単価を抑制でき、成形品のＬ方向の長さを短くできるので、成形を行った後の収縮の影響を少なくして光コネクタ用フェルールを製造する際に歩留まりを上げることができる。
【００４１】
本発明の実施形態では、光コネクタ用フェルールは、多心光ファイバテープ心線の被覆を除去して複数本の光ファイバを露出した前記多心光ファイバテープ心線を位置決めして保持する。この光コネクタ用フェルールの第１ハウジング部は、各光ファイバをそれぞれ通す複数の光ファイバガイド溝と、各光ファイバガイド溝に通じており各光ファイバガイド溝に通された光ファイバの端部を位置決めする複数の光ファイバ挿通孔とを有する本体部と、本体部から突出して形成されている隔壁部と、を有する。
【００４２】
この光コネクタ用フェルールの第２ハウジング部は、第１ハウジング部に対して接合されて多心光ファイバテープ心線を保持する。
第１ハウジング部は、位置決め部材を挿入することで第１ハウジング部と第２ハウジング部を位置合わせするガイド穴を有し、光ファイバは光ファイバガイド溝において接着剤により固定される。第１ハウジング部の隔壁部は、ガイド穴と複数の光ファイバガイド溝との間に形成されている。
【００４３】
これにより、光コネクタ用フェルールを構成する複数のハウジング部を接合する際に、接着剤がガイド穴に入るのを防止して、複数のハウジング部を確実に接合して位置合わせすることができる。
【００４４】
隔壁部は、複数の光ファイバガイド溝を囲む側壁部分を有している。これにより、光ファイバガイド溝に入れた接着剤がガイド穴に入るのを防ぐことができる。
複数の光ファイバガイド溝は、複数のガイド溝列に沿って並べて配列されており、複数のガイド溝列は、本体部から隔壁部が突出されている方向に平行な方向に沿って突出して形成された段差部分において互いに間隔をおいて形成されている。これにより、各列の光ファイバは、対応する各光ファイバガイド溝によりガイドして対応する光ファイバ挿通孔に通すことができる。
【００４５】
隔壁部は対向して配置される一方の側壁部分と他方の側壁部分を有しており、隔壁部の突出方向に沿った各前記段差部分の長さは、一方の側壁部分から他方の側壁部分に至るに従って順次大きくなっている。これにより、各列の光ファイバは、対応する段差部分にある光ファイバガイド溝に対して順次挿入することができる。
【００４６】
隔壁部は対向して配置される一方の側壁部分と他方の側壁部分を有しており、隔壁部の突出方向に沿った各段差部分の長さは、一方の側壁部分と他方の側壁部分の間の中央位置において最も大きく、中央位置から一方の側壁部分に至るに従ってかつ中央位置から他方の側壁部分に至るに従ってそれぞれ順次小さくなっている。これにより、第１ハウジング部の軸方向（Ｌ方向）の長さを小さくでき、第１ハウジング部の薄型化と光コネクタ用フェルールの小型化が図れる。
【００４７】
第２ハウジング部は、接着剤を光ファイバガイド溝に入れるための開口部を有している。これにより、接着剤は光ファイバガイド溝に対して確実に供給して、光ファイバガイド溝において光ファイバを固定できる。
【００４８】
ところで、本発明は、上記実施形態に限定されず種々の変形例を採用できる。
例えば、図示例では、光ファイバ挿通孔３０Ａ〜３０Ｆと光ファイバガイド溝８０Ａ〜８０Ｆには、１２本の光ファイバ３〜８が、６列の光ファイバガイド溝列Ｍ１〜Ｍ６にそれぞれ沿って配列されている。しかし、一列に配列する光ファイバの本数は、２本〜１１本、あるいは１３本以上であっても良い。また、光ファイバガイド溝列は、６列に限らず、２〜５列あるいは７列以上であっても良い。
第１ハウジング部と第２ハウジング部の形状は、図示例に限定されず、任意の形状を採用することができる。
【図面の簡単な説明】
【００４９】
【図１】本発明の光コネクタ用フェルールの好ましい第１実施形態を示し、光コネクタ用フェルールの第１ハウジング部と第２ハウジング部が固定される前の状態を示す斜視図である。
【図２】光コネクタ用フェルールの第１ハウジング部と第２ハウジング部が接合された状態を示す斜視図である。
【図３】図１に示す第１ハウジング部をＧ方向から見た斜視図である。
【図４】第１ハウジング部の側面図を示す図である。
【図５】図２に示す光コネクタ用フェルールの断面構造例を示しており、光ファイバが挿入される前の状態を示す図である。
【図６】光ファイバが挿入された後の状態を示を示す図である。
【図７】本発明の光コネクタ用フェルールの好ましい第２実施形態を示す斜視図である。
【図８】第２実施形態を示す第１ハウジング部の側面図である。
【符号の説明】
【００５０】
１              光コネクタ用フェルール
２Ａ〜２Ｆ      光ファイバテープ心線
１１            第１ハウジング部
１２            第２ハウジング部
１３            接続端面
２０            第１ハウジング部の本体部
２１            ガイド穴としてのガイドピン穴
２２            隔壁部
３０Ａ〜３０Ｆ  光ファイバ挿通孔
３１            第２ハウジング部の本体部
４０            開口部
４１〜４４      側壁部分
８０Ａ〜８０Ｆ  光ファイバガイド溝
Ｍ１〜Ｍ６      光ファイバガイド溝列
【図１】
0005158863.tif 000002
【図２】
0005158863.tif 000003
【図３】
0005158863.tif 000004
【図４】
0005158863.tif 000005
【図５】
0005158863.tif 000006
【図６】
0005158863.tif 000007
【図７】
0005158863.tif 000008
【図８】
0005158863.tif 000009